【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
対象と近接流体領域との相対運動を制御するための運動発生システムにおいて、
近接流体と連続的に流体接触している基本面を有する対象と、
前記近接流体の中に配置され、前記基本面に対して配置されるターゲット領域と、
前記近接流体の中に配置され、前記基本面に対して配置される内破領域であって、前記内破領域に存在する流体がいずれも前記基本面に熱及び圧力接触している内破領域と、
前記対象から前記ターゲット領域の中へ熱流体を導入する手段と、
前記熱流体が前記ターゲット領域から前記内破領域へ沿って移動しうる移動路とを具え、
前記熱流体が前記内破領域に入ると、前記内破領域の中及び周りの前記熱流体、前記基本面、と前記近接流体の間の熱交換が、前記内破領域の中の動的圧力の減少を生じさせるか維持して、前記近接流体、前記熱流体、及び前記基本面の領域が互いに向かって相対的に推進されることを特徴とする運動発生システム。
【請求項２】
請求項１に記載の運動発生システムがさらに、前記熱流体である生産物を有する反応を経る化学反応物質を具えることを特徴とする運動発生システム。
【請求項３】
請求項１又は２に記載の運動発生システムがさらに、前記基本面と熱接触するヒートシンクを具え、熱が前記基本面から除かれることを特徴とする運動発生システム。
【請求項４】
請求項１、２又は３のいずれか１項に記載の運動発生システムにおいて、前記熱流体が、凝縮プロセスの開始時及びその間に前記近接流体の温度かそれ以上、又は前記基本面の温度かそれ以上で生じる前記動的圧力によって、液体又は固体へ凝縮することができる気体又は気体混合物であり、凝縮相の変化は、前記内破領域の中で動的圧力の減少によって内破を作り出すことを特徴とする運動発生システム。
【請求項５】
請求項２に記載の運動発生システムにおいて、前記化学反応物質が水素と酸素の混合物であるか、前記化学反応物質が水素であるか、または前記化学反応物質が過酸化水素を含んでおり、前記運動発生システムがさらに、前記化学反応物質を点火するための手段を具えることを特徴とする運動発生システム。
【請求項６】
請求項１又は２に記載の運動発生システムにおいて、熱流体および／または化学反応物質を導入する前記手段が、ある距離以上に前記熱流体および／または化学反応物質を前記ターゲット領域の中へ放出する手段、または前記熱流体および／または化学反応物質を前記ターゲット領域に投入する手段、または前記放出および投入する手段の両方を具えることを特徴とする運動発生システム。
【請求項７】
請求項６に記載の運動発生システムがさらに、前記熱流体および／または化学反応物質を、前記対象の運動方向に対して横方向、または前記基本面に対してほぼ平行な方向、あるいはその両方に投入または放出する手段を具えることを特徴とする運動発生システム。
【請求項８】
請求項１又は２に記載の運動発生システムにおいて、前記対象から前記ターゲット領域の中へ熱流体を導入する前記手段が、前記熱流体が生成される燃焼チャンバと、前記熱流体を前記ターゲット領域の中へ噴射される方向に配置され整列された有向ノズルと、前記熱流体を前記燃焼チャンバから前記有向ノズルへ移送するための移送管とを具えることを特徴とする運動発生システム。
【請求項９】
請求項８に記載の運動発生システムがさらに、前記化学反応物質を供給する手段を具え、前記化学反応物質は水素と、水素過酸化物または酸素のどちらか一方あるいは双方とを含み、水素が供給されて、次に供給される過熱蒸気及び酸素を形成するため、水素過酸化物が触媒で解離し、および／または未解離の水素過酸化物が供給されて追加の酸素も、前記燃焼チャンバに供給されて、前記燃焼チャンバ中で、必要な化学量論比で供給された全ての化学物質とともに点火され：
ａＨ２＋ｂＯ２＋（ａ−２ｂ）Ｈ２Ｏ２→（２ａ−２ｂ）Ｈ２０
により、ほぼ純粋な過熱蒸気から成る前記熱流体を作り出し、ここで、ａ及びｂは、モル量であり、ａは２ｂと同じかそれ以上、およびｂは０であってもよいことを特徴とする運動発生システム。
【請求項１０】
請求項９に記載の運動発生システムがさらに、水および／または低温蒸気の制御された流れを、前記運動発生システムの力学及び熱力学に影響を与えるために、前記過熱蒸気の中へ導入する手段を具えること特徴とする運動発生システム。
【請求項１１】
請求項４に記載の運動発生システムにおいて、前記基本面は、前記対象の前部に設けられていることを特徴とする運動発生システム。
【請求項１２】
請求項４に記載の運動発生システムにおいて、複数の基本面が前記対象に設けられて、前記対象の並進および／または回転運動を制御することができ、ここで前記基本面は、前記対象の主に上方に向いている面および／または主に下方に向いている面に設けられて前記対象の上昇および／または下降および／または横揺れおよび／または縦揺れを制御でき、前記基本面は、前記対象の主に前方に向いている面および／または主に後方に向いている面に設けられて前記対象の加速および／または減速および／または片揺れおよび／または縦揺れを制御でき、前記基本面は、前記対象の主に右に向いている面および／または主に左に向いている面に設けられ前記対象の横滑りおよび／または片揺れおよび／または横揺れを制御できることを特徴とする運動発生システム。
【請求項１３】
請求項１又は２に記載の運動発生システムにおいて、基本面は、前記基本面上を流れる前記熱流体の流れ方向に凸面をなしていることを特徴とする運動発生システム。
【請求項１４】
請求項４に記載の運動発生システムにおいて、前記対象が、前記近接流体中で滑空できる形に形成されており、前記対象の全体密度は、前記近接流体の密度より低密度と高密度の両方に様々に制御することができ、前記ヒートシンクが、低密度相へと吸熱相変化する相変化物質を含んでいることを特徴とする運動発生システム。
【請求項１５】
近接流体の中の対象の運動を制御する方法において、相変化物質の低密度流体相を封入する膨張可能な気嚢と、前記膨張可能な気嚢に接続され、高密度相の前記低密度相への転化が吸熱反応である前記相変化物質の前記高密度相を封入するタンクと、前記膨張可能な気嚢と前記タンクとの間の前記低密度流体相の流れを制御するバルブと、ブラウンガスおよび／または水素および／または水素過酸化物の供給源と、基本面とを設けて、近接流体の中に入れた対象を用意するステップと；
斜め方向の滑空または垂直方向のどちらかで上昇するように前記対象を制御するステップと；
同時に、前記上昇の間、前記対象の全体密度を前記周囲の近接流体の密度より低い状態に維持されるよう、制御するステップと；
選択的に、同時に、前記バルブを操作して前記相変化物質の前記低密度流体相を前記タンクから前記膨張可能な気嚢の中へ放出することによって、浮力を増やすステップと；
同時に、前記ブラウンガスおよび／または水素および／または水素過酸化物の供給源をブラウンガスおよび／または水素および／または水素過酸化物を提供するために操作するステップと；
同時に、前記基本面に十分に近い前記近接流体のターゲット領域の中に、前記ブラウンガスおよび／または水素および／または水素過酸化物を、放出もしくは投入及び点火するステップおよび／またはこれらの燃焼生成物を投入して蒸気柱状噴出が前記基本面に接触するように、ステップと；
同時に、前記蒸気柱状噴出の凝縮及び前記相変化物質の前記低密度流体相への転化を維持するように前記基本面から前記タンクの中の前記相変化物質へ熱移動を、制御するステップと；
選択的に、同時に、前記基本面から前記凝縮水を、回収および貯蔵するステップと；
前記相変化物質の低密度相を前記高密度へ転化している間、前記対象を高高度に維持すべく制御するステップと；
同時に、前記相変化物質から前記近接流体への熱移動を、制御するステップと；
同時に、前記相変化物質の前記低密度流体相が前記タンクに入って、前記相変化物質の前記高密度相へ転化するように制御するステップと；
斜め方向の滑空または垂直方向のどちらかで下降するように前記対象を制御するステップと；
同時に、前記下降の間、前記周囲の近接流体の密度より高い状態に、前記対象の全体密度を制御するステップと；
必要な場合には、前記相変化物質の前記低密度流体相を前記相変化物質の前記高密度相へ同時に、転化し続けるステップと；
同時に、前記タンク中の前記相変化物質の前記高密度相を保持するステップと；
選択的に、同時に、前記タンクを断熱するステップと；
同時に、前記ブラウンガスおよび／または水素および／または水素過酸化物の供給源を前記ブラウンガスおよび／または水素および／または水素過酸化物を提供して貯蔵するために操作するステップと；
前記相変化物質の前記高密度相を前記相変化物質の前記低密度流体相へ転化している間、前記対象を低高度に維持するよう制御するステップと；
選択的に、同時に、前記対象をホバリングするために、前記対象の全体密度を前記周囲の近接流体の密度と同じ状態に制御するステップと；
選択的に、同時に、前記周囲の近接流体温度が低すぎる場合に、前記近接流体から前記タンク中の前記相変化物質の前記高密度相への熱移動を制御するステップ又は別の供給源から熱を提供するステップと；  
前記近接流体からの正味推力と小さい抵抗力によって、水平方向に前記対象をさらに並進運動させる又は他の目的の重力及び熱力学的エネルギをさらに変換するサイクルのステップを繰り返すステップとを具えることを特徴とする方法。